(57)【要約】【課題】火山噴火などの災害や工事現場において、背面方向からの飛来物や落下物から背面を保護する。【解決手段】強靭な発泡樹脂材で芯材を形成し、その表面を例えばアラミド繊維のように強靭な表面カバーで覆って背面保護板１とする。背面保護板１は、背面中央領域２と背面右側方領域３及び背面左側方領域４とに区画し、区画部分で折曲が可能なように芯材を分離させる。左右の側方領域には、耳片状の右延長部材５と左延長部材６を突出させる。また、背面中央領域２の上方に後頭保護部７を、背面右側方領域３及び背面左側方領域４の上方に装着者の肩部を迂回させる上方延長部８、９を配置する。左右の側方延長部５、６には、装着者の前面で連結固定する連結手段を、左右の側方延長部５、６と左右の上方延長部８、９とに連結手段を設ける【選択図】  図１
2017061755.tif 000002
【特許請求の範囲】
【請求項１】
強靭な発泡樹脂材で芯材を形成し、その表面を強靭な表面カバーで覆う背面保護板を、背面中央領域と該背面中央領域の側方に位置する背面右側方領域及び背面左側方領域とに区画し、該区画部分で折曲が可能なように芯材を分離させ、
背面右側方領域の右側方に耳片状の右延長部材を、背面左側方領域の左側方に耳片状の左延長部材を突出させるとともに、背面中央領域の上方に後頭保護部を延長し、背面右側方領域及び背面左側方領域の上方に装着者の肩部を迂回させる右上方延長部及び左上方延長部を配置し、
右側方延長部と左側方延長部の側方に装着者の前面で連結固定する連結手段と、右側方延長部と右上方延長部とを連結する連結手段と、左側方延長部と左上方延長部とを連結する連結手段とを設けたことを特徴とする背面保護具。
【請求項２】
背面保護板を構成する背面中央領域及び背面右側領域、背面左側領域は、上下方向に複数の領域に区画し区画ごとに、芯材を分離させて折曲可能としたことを特徴とする請求項１記載の背面保護具。
【請求項３】
表面カバーは、特性の異なる複数の表面カバーを重ね合わせて構成するとともに、背面保護板の内面に通気性メッシュ生地を配置することを特徴とする請求項１又は２に記載の背面保護具。
【請求項４】
右上方延長部と左上方延長部に、装着者の前面で連結する連結手段を配置したことを特徴とする請求項１ないし３のいずれかに記載の背面保護具。
【請求項５】
右上方延長部及び左上方延長部には、上下方向の一定間隔ごとに強靭な発泡樹脂材の芯材を配置し、芯材の表面を表面カバーで覆って芯材と芯材の間で折曲させて装着者の肩部を迂回させることができるようにした請求項１ないし４のいずれかに記載の背面保護具。
【請求項６】
強靭な発泡樹脂材による芯材は、背面中央領域の芯材の厚みを分厚く、背面右側方領域及び背面左側方領域の芯材の厚みを薄く形成したことを特徴とする請求項１ないし５のいずれかに記載の背面保護具。
【発明の詳細な説明】
【技術分野】
【０００１】
本発明は、例えば火山の噴火による後方からの飛来物や、落石などの落下物から人の背中を守る背面保護具に関する発明である。
【背景技術】
【０００２】
登山中の火山噴火による噴石や落石、土木工事や建設作業現場における落下物などは、通常視認していない状態で登山者や作業者の背面に打撃を与えるため、登山者や作業者に致命的障害を与える可能性がある。
スポーツその他の分野において、人体の前面を保護するプロテクターは広く普及している。人体の背面を保護するプロテクターとして、特許文献１には、背部に合成樹脂発泡体からなる多数の棒状体を並列状に装填したチョッキ状の胴衣の発明が開示されている。
【０００３】
特許文献２には、背板に保護クッションを備えた衣服部に、ロープを連結した落石防護用救命胴衣の発明が記載されている。
特許文献３には、作業現場で飛来物や落下物から身を守るため、前面と背面の両方に防護具を備えた防護服の発明が記載されている。
【先行技術文献】
【特許文献】
【０００４】
【特許文献１】特開平１０-５３９０５号公報
【特許文献２】特開２０１５−１４０５０５号公報
【特許文献３】実用新案登録第３１６０９１６号公報
【発明の概要】
【発明が解決しようとする課題】
【０００５】
特許文献１に記載された発明は、背面が多数の棒状体を並列状に配置したものであるため、棒状体と棒状体境界部分が数多く発生し、落下物の衝撃が前記境界部分から作業者などの装着者に伝わる可能性がある。特許文献２や３に記載された発明は装着に手間取り、あるいは背面の保護が必ずしも確実でない欠点がある。前面からの障害物の場合、障害物が目に見えるため自身である程度対応することができるが、背面からの障害物は目に見えないため対応することができず、極めて危険である。
【０００６】
本発明は、山小屋や工事現場の事務所、工場などに常備し、噴火や地震その他事故などの非常時に、迅速に装着することができる、背面保護具を提供することを目的とするものである。また、背面からの衝撃を確実に減少させ、より安全で保護効果が大きな背面保護具を実現することを目的とするものである。
【課題を解決するための手段】
【０００７】
上記目的を達成する請求項１記載の発明は、強靭な発泡樹脂材で芯材15、16を形成し、その表面を例えばアラミド繊維のように強靭な表面カバー14で覆って背面保護板１とする。背面保護板１は、背面中央領域２と背面中央領域２の側方に位置する背面右側方領域３及び背面左側方領域４とに区画し、区画部分で折曲が可能なように芯材15、16を分離させる。
背面右側方領域３の右側方に耳片状の右延長部材５を、背面左側方領域４の左側方に耳片状の左延長部材６を突出させるとともに、背面中央領域２の上方に後頭保護部７を延長し、背面右側方領域３及び背面左側方領域４の上方に装着者の肩部を迂回させる右上方延長部８及び左上方延長部９を配置する。
右側方延長部５と左側方延長部６の側方に装着者の前面で連結固定する連結手段と、右側方延長部５と右上方延長部８とを連結する連結手段と、左側方延長部６と左上方延長部９とを連結する連結手段とを設ける。
【０００８】
請求項２記載の発明は、背面保護板１を構成する背面中央領域２及び背面右側領域３、背面左側領域４を、上下方向に複数の領域に区画し区画ごとに、芯材を分離させて折曲可能とすることである。
請求項３記載の発明は、背面保護板１の表面カバー14を特性の異なる複数の表面カバー14a、14bで構成し、さらに、背面保護板１の内面に通気性メッシュ生地17を配置することである。
【０００９】
請求項４記載の発明は、右上方延長部８と左上方延長部に、装着者の前面で連結する連結手段を配置すること。請求項５記載の発明は、右上方延長部８及び左上方延長部９には、上下方向の一定間隔ごとに強靭な発泡樹脂材の芯材18を配置し、芯材18の表面を表面カバー19で覆って芯材18と芯材18の間で折曲して装着者の肩部を迂回させることができるようにすること。
請求項６記載の発明は、強靭な発泡樹脂材による芯材を、背面中央領域の芯材15の厚みを分厚く、背面右側方領域及び背面左側方領域の芯材16の厚みを薄く形成することである。
【発明の効果】
【００１０】
請求項１記載の発明によれば、背面を背面保護板１で覆うため、装着者を背面方向からの飛来物から保護することができる。背面保護板１は、強靭な発泡樹脂材による芯材15、16によって飛来物の衝撃を吸収するとともに、その表面が強靭なアラミド繊維の表面カバー14で覆われているため、芯材15、16そのものの破損を防止することができる。
本発明に係る背面保護具を装着するには、背面保護板１を背負うように、右側方延長部５と右上方延長部８の連結手段の間に右手を、左側方延長部６と左上方延長部９との連結手段の間に左手を通すとともに、右側方延長部５と左側方延長部６を連結手段によって、装着者の前面で連結固定する簡単な操作によって素早く装着することができる。
装着した背面保護板１は、背面中央領域２と背面右側方領域３の間、及び背面中央領域２と背面左側方領域４との間で折曲が可能なように、芯材15と16を分離させているため装着者の背面及び側面を保護することができる。心材15と16の間はアラミド繊維で覆われるため、ある程度強度が維持された状態で積極が可能となる。
【００１１】
請求項２記載の発明によれば、背面保護板１を構成する背面中央領域２及び背面右側領域３、背面左側領域４を、上下方向に複数の領域に区画し区画ごとに、芯材を分離させて折曲可能とすることによって、背面保護具を装着した状態で、例えば体を前後に曲げるような動きが自由になる。すなわち、背面保護具１を装着した状態で動き易い状態を実現するものである。
【００１２】
請求項３記載の発明によれば、表面カバー14を特性の異なる複数の表面カバー14a、14bで構成する。例えば、外層部分を難燃性の表面カバー14aで構成することによって炎から装着者を保護し、内層をより強固な防刃性の表面カバー14bで構成することによって、衝撃に対してより確実に装着者を保護することができる。また、内面に通気性メッシュ生地17を配置することによって、背面保護具の内面に熱がこもるのを防止し、快適に装着することができる効果がある。
【００１３】
請求項４記載の発明によれば、右上方延長部８と左上方延長部９に、装着者の前面で連結する連結手段を配置することによって、背面保護具をより安定的に装着する
請求項５記載の発明によれば、右上方延長部８及び左上方延長部９を、表面カバー19で覆われた芯材18と18の間で折曲させて、装着者の肩部を容易に迂回させることができる。また、強靭な発泡樹脂材の芯材18と、芯材18の表面を覆う表面カバー19によって装着者の肩部分を効果的に保護することができる。
【００１４】
請求項６記載の発明によれば、飛来物がより衝撃的に衝突する可能性のある背面中央領域２の芯材15の厚みを分厚くすることによって安全性を向上させ、飛来物が斜め方向に衝突する可能性のある背面右側方領域３及び背面左側方領域４の芯材16の厚みを薄く形成することによって、必要な強度を保持しつつ、装着者がなるべく動き易い状態を実現することが出来るものである。
【図面の簡単な説明】
【００１５】
【図１】図１は、本発明に係る背面保護具の展開状態の外面図、
【図２】図２は、図１の内面図、
【図３】図３は、一部を拡大して示す、図１の横断面図、
【図４】図４は、左右の上方延長部と左右の側方延長部を連結した状態の中央縦断面図である。
【図５】図５は、図１のＶ−Ｖ線拡大縦断面図である。
【発明を実施するための形態】
【００１６】
以下、本発明に係る背面保護具の実施形態を、添付の図面に基づいて説明する。
図１は、本発明に係る背面保護具の展開状態の外面図、図２はその内面図である。
本発明に係る背面保護具は強靭な発泡樹脂材、具体的には発泡スチロールの平板状の芯材15、16の表面を強靭な表面カバー14、具体的にはアラミド繊維の表面カバー14で覆う。この背面保護板１は、背面中央領域２と背面中央領域２の側方に位置する背面右側方領域３及び背面左側方領域４とに区画し、区画部分で折曲が可能なように芯材15を分離させる。
【００１７】
背面保護板１を構成する背面中央領域２及び背面右側領域３、背面左側領域４は、上下方向に複数の領域、図示実施形態においては上下方向に３つの領域に区画し、区画ごとに芯材を分離させて折曲可能としている。このように、図示実施形態においては９個の芯材によって背面保護板１が形成され、芯材と芯材の境界で折曲可能であるため、装着者の動きは差ほど制限されないことになる。
背面保護板１は、その具体的構造として、図３に示すように、一定の厚みのクッション材20、例えばポリエチレンフォームのクッション材20の上に、発砲スチロール製の板材である芯材15、16を貼着し、その上に強靭な表面カバーを配置し、クッション材20の内面に通気性のメッシュ生地を配置し、芯材15や16の中間位置及び外周を縫着し一体的な背面保護板を完成させる。背面保護板１の外周は、縁テープ21によって縫製している。
【００１８】
背面保護板１の、背面右側方領域３の右側方に突出させる耳片状の右延長部材５及び、背面左側方領域４の左側方に突出させる耳片状の左延長部材６は、背面保護板１とほぼ同一の構造とし、適宜折曲が可能なように複数の芯材を用いて複数の領域に区画している。図示実施形態において、右延長部材５及び左延長部材６は、それぞれ４つの領域に区画し、全体形状を略三角形に形成して外周を縁テープで縫製して、縫製した右延長部材５及び左延長部材６背面保護板の左右両側に逢着している。
【００１９】
右延長部材５及び左延長部材６の具体的形状及び構造は、特に限定されるものではないが、前記構造とすることによって安全で容易に装着することができるものとなる。なお、右延長部材５及び左延長部材６に使用する芯材の厚みは、薄い厚みである左右側方領域の心材16と同一、あるいはより薄いものであってもよい。
右側方延長部５と左側方延長部６の側方には、装着者の前面で連結固定する連結手段を設けるが、この連結手段は、先端に係止具22、23を備えたベルト片１0と11を、右延長部材５及び左延長部材６に縫着しておくことによって実現することができる。図面上23は雄係止具、22は雌係止具である。
【００２０】
背面中央領域２の上方の延長方向に配置する後頭保護部７は、ほぼ装着者の後頭部を覆う大きさで、全体形状を略方形としている。図４から理解されるように、断面形状は、背面中央領域２や背面右側方領域３、背面左側方領域４と同じように、芯材16を表面カバー19で覆い、内面にクッション材20や通気性メッシュ生地17を配置し、外周を縁テープで縫製し、一体に縫製した後頭保護部７を背面中央領域２の上端に縫製している。後頭保護部７の芯材は、飛来物が衝突したときに、変形して後頭部に強い衝撃を与えることがないように、一枚ものとすることによって装着者の後頭部をより安全に保護する腰の強いものとしている。
【００２１】
背面右側方領域３及び背面左側方領域４の上方に装着者の肩部を迂回させる右上方延長部８及び左上方延長部９を配置している。右上方延長部８及び左上方延長部９は装着者の肩部を迂回させることができる長さであって、背面右側方領域３及び背面左側方領域４の上端幅を延長する態様としている。
右上方延長部８及び左上方延長部９は、図１や図５から理解されるように、細幅の芯材18、18を並列状に配置し、背面右側方領域３や背面左側方領域４と同じように、上面に表面カバー19を内面にクッション材や通気性生地を配置し、外周を縁テープで縫製することによって一体に形成し、これを背面右側方領域３及び背面左側方領域４の上端に縫着している。この、右上方延長部８及び左上方延長部９は、細幅の芯材の間を縫製することによって装着者の肩部を迂回させるべく、折曲が容易なように工夫している。
【００２２】
図示実施形態においては、右上方延長部８及び左上方延長部９の先端延長方向に、補助片24、25を縫着している。補助片24、25には、硬い芯材を省略し、表面カバー19とクッション材20及び通気性メッシュ生地を重ねて逢着した柔軟なものとし、これを右上方延長部８及び左上方延長部９の先端に縫着している。したがって、装着者は該部分の取り扱いが容易なものとなる。
【００２３】
左右の補助片24、25の先端には、先方に向けて係止具12、13を設けている。この係止具12、13は、右側方延長部５及び左側方延長部６に、上方に向けて縫着したベルト片26、27と連結されるものとしている。すなわち、右延長部材５及び左延長部材６と、右側方延長部５と右上方延長部８との連結手段となるものである。係止具12、13とベルト片26、27は、着脱自在である必要はなく、装着者が腕を通して背負うことができる長さに固定的に連結したものとするのが便利である。
さらに、補助片24、25の先端部には、互いに内方に向けてベルト片28とベルト片29を縫着している。このベルト片28、29の先端には、それぞれ係止具30、31を装着し、係止具30、31を連結可能としている。すなわち、ベルト片30、31は、装着者の前面で連結する連結手段となるものである。
【００２４】
背面保護板１の表面を覆う表面カバー14は、強靭な素材としてアラミド繊維を使用する。アラミド繊維の表面カバーは、左右の延長部や上方延長部を含む全体の表面カバーが、頑丈な一枚の生地であってもよいが、特性の異なる複数の表面カバーで構成するのが好ましい。すなわち、用途、使用場所の状況によって機能の異なる表面カバー14aと14bを重ね合わせることによって、より保護性能に優れたものとすることができる。本発明者らは、上面となる表面カバー14aを耐熱性に優れたアラミド繊維とし、下面となる表面カバー14bを切れにくいもの、すなわち防刃性に優れたアラミド繊維を採用することを提案する。この構造とすることによって、火山噴火や火災を伴う災害に際し、火炎や熱と飛来物の両方に対し、装着者の背面を効果的に保護することができる。
【００２５】
以上述べた、本発明に係る背面保護具は、山小屋や工事事務所などに常備するだけでなく、災害用備蓄品として保管しておくと非常時に迅速に対応することができる。
本発明に係る背面保護具を使用するには、背面保護板を背負うようにし、すなわち、左右の側方延長部と左右の上方延長部を連結しているベルト片に手を通し、左右の延長部に設けたベルト片10、11の係止具を連結し、あるいは、右上方延長部８(補助片24)、と左上方延長部９(補助片25)に設けたベルト片28、29を連結するだけで装着することができる。背面保護具を装着することによって、死角となる背面や斜め背面方向からの飛来物に対して、装着者を効果的に保護することができる。
【符号の説明】
【００２６】
１…背面保護板、  ２…背面中央領域、  ３…背面右側方領域、  ４…背面左側方領域、  ５…右側方延長部、  ６…左側方延長部、  ７…後頭保護部、  ８…右上方延長部、  ９…左上方延長部、  10、11…ベルト片、  12、13…係止具、  14…表面カバー、  15、16…芯材、  17…通気性メッシュ生地、  18…芯材、  19…表面カバー、  20…クッション材、  21…縁テープ、  22、23…係止具、  24,25…補助片、  26、27、28、29…ベルト片、  30,31…係止具。
【図１】
2017061755.tif 000003
【図２】
2017061755.tif 000004
【図３】
2017061755.tif 000005
【図４】
2017061755.tif 000006
【図５】
2017061755.tif 000007